(57)【要約】【課題】本発明は、極めて薄型の光ディスク装置においても十分な冷却を行うことができ、記録再生特性の劣化を低減させることができる光ディスク装置を提供することを目的とする。【解決手段】回転駆動手段，少なくとも光源や各種光学部材を搭載し移動自在に設けられたキャリッジ，第１の開口を設けたカバーとを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの光ディスク装着領域外部分であってしかも第１の開口と対向する部分に第３の開口を設けた。【選択図】図１
2005092919.tif 000002
【特許請求の範囲】
【請求項１】
光ディスクを回転させる回転駆動手段，少なくとも光源や各種光学部材を搭載し移動自在に設けられたキャリッジ，第１の開口を設けたカバーとを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部分と前記光ディスク装着領域部分の外側に設けられた光ディスク装着領域外部分を含み、前記光ディスク装着領域外部分と前記光ピックアップモジュールが対向するように前記トレイと前記光ピックアップモジュールを互いに結合させ、前記トレイの光ディスク装着領域外部分であってしかも前記第１の開口と対向する部分に第３の開口を設けたことを特徴とする光ディスク装置。
【請求項２】
トレイの光ディスク装着領域部分は前記トレイの一部の表面と光ピックアップモジュールのカバーの表面とを含み、前記トレイの光ディスク装着領域外部分は光ディスク装着領域部分よりも一段高くなっており、前記一段高くなった部分の第１の開口と対向する部分に第３の開口を設けたことを特徴とする請求項１記載の光ディスク装置。
【請求項３】
第１の主面側に光ディスク装着して、光ディスクを回転駆動手段にて回転させることで光ディスクの外周部に生じる気体流を第３の開口を通して、トレイにおける前記第１の主面と反対側の第２の主面と前記筐体との間に導くことを特徴とする請求項１記載の光ディスク装置。
【請求項４】
第３の開口は第１の開口と光ピックアップモジュールに設けられたカバーの双方に対向して設けられたことを特徴とする請求項１記載の光ディスク装置。
【請求項５】
第３の開口は光ディスク装着領域部分と連通して設けられていることを特徴とする請求項２記載の光ディスク装置。
【請求項６】
第１の開口は回転駆動手段と光ピックアップモジュールの外端の間に設けられ、前記第１の開口の回転駆動手段と反対側の端部は、トレイの前端面側に設けられたことを特徴とする請求項１記載の光ディスク装置。
【請求項７】
第３の開口を回転駆動手段に対してトレイの前端面部分に設けたことを特徴とする請求項１記載の光ディスク装置。
【請求項８】
第３の開口はトレイの前端面と光ディスク装着領域部分の間に設けられたことを特徴とする請求項１記載の光ディスク装置。
【請求項９】
第３の開口を構成する外壁は光ディスクで生じた気体流の流れを阻害する様に設けられていることを特徴とする請求項１記載の光ディスク装置。
【請求項１０】
外壁は回転駆動手段の中心を通る直線と略平行であることを特徴とする請求項９記載の光ディスク装置。
【請求項１１】
外壁は、トレイの引き出し方向と略平行に設けられたことを特徴とする請求項９記載の光ディスク装置。
【請求項１２】
外壁は、凹形状としたことを特徴とする請求項９記載の光ディスク装置。
【請求項１３】
筐体の中央部分の厚みが１４ｍｍ以下であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
図７は従来の光ディスク装置を示す斜視図である。
【０００３】
図７において、１は光ディスク装置で、光ディスク装置１は、筐体２と、筐体２に出没自在に保持されたトレイ３とを有している。筐体２は金属製の筐体部２ａ，２ｂを組み合わせて袋状の構成となっており、筐体２の開口からトレイ３が出没する。トレイ３には、裏面から光ピックアップモジュール４が取り付けられている。また、トレイ３の両側部には移動自在にレール３ａが設けられ、このレール３ａはトレイ３に一体に設けられたレール保持部３ｂに保持されている。なお、図７では一方の側部しかレール３ａは設けられていなが、他方の側部に同様のレールなどが設けられている。光ピックアップモジュール４には光ディスクを回転駆動させるスピンドルモータ５と、スピンドルモータ５から外周にかけて開口６ａを設けた金属製のカバー６、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動する。８はトレイ３の前面に設けられたベゼルで、ベゼル８は筐体２の開口を塞ぐ程度の大きさで構成されている。
【０００４】
キャリッジ７には、高出力のレーザーダイオード等の光源，各種光学部材及び光ディスク上に光スポットを構成する対物レンズなどが搭載されている。光ディスクに記録などを行う際には、高出力の光源や、その光源を駆動するＩＣ等が必要となってくる。その結果、光源やＩＣの発熱がおびただしくなって、記録再生特性に影響を及ぼすことが生じてきている。特に図７に示すような光ディスク装置１においては、薄型化や小型化を求められているので、熱容量が低下し問題となっている。具体的には、筐体２の中央部分の厚みが１４ｍｍ以下、更には１０ｍｍ以下というような薄型の光ディスク装置１においては、特に顕著に行われる。
【０００５】
（特許文献１）及び（特許文献２）には、光ディスクを回転させる際に生じる空気流をキャリッジ７に導いて、冷却する方法が記載されているが、上記各特許文献は、そもそも、筐体２の中央部の厚みが１４ｍｍ以下或いは１０ｍｍ以下の光ディスク装置は想定していない。
【特許文献１】特開平１１−２５６６７号公報
【特許文献２】特開２０００−２３１７８２号公報
【発明の開示】
【発明が解決しようとする課題】
【０００６】
しかしながら上記各特許文献は、そもそも、筐体２の中央部の厚みが１４ｍｍ以下或いは１０ｍｍ以下の光ディスク装置は想定していない。従って、上記図７に示すような薄型の光ディスク装置１に単に、空気流入路等を設けたとしても十分な冷却は困難であり、依然として熱問題が生じていた。
【０００７】
本発明は、上記従来の課題を解決するもので、極めて薄型の光ディスク装置においても十分な冷却を行うことができ、記録再生特性の劣化を低減させることができる光ディスク
装置を提供することを目的とする。
【課題を解決するための手段】
【０００８】
本発明は、光ディスクを回転させる回転駆動手段，少なくとも光源や各種光学部材を搭載し移動自在に設けられたキャリッジ，第１の開口を設けたカバーとを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの第１の主面は光ディスク装着領域部分と光ディスク装着領域部分の外側に設けられた光ディスク装着領域外部分を含み、光ディスク装着領域外部分と光ピックアップモジュールが対向するようにトレイと光ピックアップモジュールを互いに結合させ、トレイの光ディスク装着領域外部分であってしかも第１の開口と対向する部分に第３の開口を設けた。
【発明の効果】
【０００９】
本発明は、効率よく空気流を循環させることができるので、特に薄型及び小型化された光ディスク装置の熱対策を行うことができ、熱による記録再生特性の劣化などの不具合を抑えることができる。
【発明を実施するための最良の形態】
【００１０】
請求項１記載の発明は、光ディスクを回転させる回転駆動手段，少なくとも光源や各種光学部材を搭載し移動自在に設けられたキャリッジ，第１の開口を設けたカバーとを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部分と前記光ディスク装着領域部分の外側に設けられた光ディスク装着領域外部分を含み、前記光ディスク装着領域外部分と前記光ピックアップモジュールが対向するように前記トレイと前記光ピックアップモジュールを互いに結合させ、前記トレイの光ディスク装着領域外部分であってしかも前記第１の開口と対向する部分に第３の開口を設けたことを特徴とする光ディスク装置であり、効率よく空気流を循環させることができるので、特に薄型及び小型化された光ディスク装置の熱対策を行うことができ、熱による記録再生特性の劣化などの不具合を抑えることができる。
【００１１】
請求項２記載の発明は、トレイの光ディスク装着領域部分は前記トレイの一部の表面と光ピックアップモジュールのカバーの表面とを含み、前記トレイの光ディスク装着領域外部分は光ディスク装着領域部分よりも一段高くなっており、前記一段高くなった部分の第１の開口と対向する部分に第３の開口を設けたことを特徴とする請求項１記載の光ディスク装置であり、光ディスク装着領域において光ディスクが回転した際に生じた空気流を外部に発散させることを防止でき、効率よく第３の開口に空気流を流し込むことができる。
【００１２】
請求項３記載の発明は、第１の主面側に光ディスク装着して、光ディスクを回転駆動手段にて回転させることで光ディスクの外周部に生じる気体流を第３の開口を通して、トレイにおける前記第１の主面と反対側の第２の主面と前記筐体との間に導くことを特徴とする請求項１記載の光ディスク装置であり、比較的高温になる部材の領域に空気流を導くことができるので、冷却効率を上げることができる。
【００１３】
請求項４記載の発明は、第３の開口は第１の開口と光ピックアップモジュールに設けられたカバーの双方に対向して設けられたことを特徴とする請求項１記載の光ディスク装置であり、第３の開口の開口量を調整可能であり、冷却度合いの調整を行うことができる。
【００１４】
請求項５記載の発明は、第３の開口は光ディスク装着領域部分と連通して設けられてい
ることを特徴とする請求項２記載の光ディスク装置であり、光ディスク装着領域で発生した空気流を効率よく第３の開口に導くことができる。
【００１５】
請求項６記載の発明は、第１の開口は回転駆動手段と光ピックアップモジュールの外端の間に設けられ、前記第１の開口の回転駆動手段と反対側の端部は、トレイの前端面側に設けられたことを特徴とする請求項１記載の光ディスク装置であり、電子機器などに装着された際に、なるべく外気と近い部分に第３の開口を配置できる。
【００１６】
請求項７記載の発明は、第３の開口を回転駆動手段に対してトレイの前端面部分に設けたことを特徴とする請求項１記載の光ディスク装置であり、電子機器などに装着された際に、なるべく外気と近い部分に第３の開口を配置できる。
【００１７】
請求項８記載の発明は、第３の開口はトレイの前端面と光ディスク装着領域部分の間に設けられたことを特徴とする請求項１記載の光ディスク装置であり、電子機器などに装着された際に、なるべく外気と近い部分に第３の開口を配置できる。
【００１８】
請求項９記載の発明は、第３の開口を構成する外壁は光ディスクで生じた気体流の流れを阻害する様に設けられていることを特徴とする請求項１記載の光ディスク装置であり、トレイの厚みを利用して、空気流を効果的に第３の開口に導くことができる。
【００１９】
請求項１０記載の発明は、外壁は回転駆動手段の中心を通る直線と略平行であることを特徴とする請求項９記載の光ディスク装置であり、トレイの厚みを利用して、空気流を効果的に第３の開口に導くことができる。
【００２０】
請求項１１記載の発明は、外壁は、トレイの引き出し方向と略平行に設けられたことを特徴とする請求項９記載の光ディスク装置であり、トレイの厚みを利用して、空気流を効果的に第３の開口に導くことができる。
【００２１】
請求項１２記載の発明は、外壁は、凹形状としたことを特徴とする請求項９記載の光ディスク装置であり、トレイの厚みを利用して、空気流を効果的に第３の開口に導くことができる。
【００２２】
請求項１３記載の発明は、筐体の中央部分の厚みが１４ｍｍ以下（または１０ｍｍ以下）であることを特徴とする請求項１記載の光ディスク装置であり、この様な薄型の光ディスク装置においては、特に有効である。
【００２３】
（実施の形態１）
以下、本発明における光ディスク装置の実施の形態について説明する。
【００２４】
図１は本発明の一実施の形態における光ディスク装置を示す斜視図で、図１において、１は光ディスク装置で、光ディスク装置１は、筐体２と、筐体２に出没自在に保持されたトレイ３とを有している。筐体２は金属製の筐体部２ａ，２ｂを組み合わせて袋状の構成となっており、筐体２の開口からトレイ３が出没する。
【００２５】
筐体部２ａと筐体部２ｂとは好ましくは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、筐体部２ａ及び筐体部２ｂそれぞれ同種の材料で構成しても良いし、異種の材料で構成しても良い。また、筐体部２ａ及び筐体部２ｂそれぞれの主平
面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工などによって形成される。また、平均肉厚の比較的厚い場合には筐体部２ａ及び筐体部２ｂはダイカスト（アルミ，マグネシウム合金など）で構成される。
【００２６】
トレイ３は、樹脂製のフレームで構成され、開口３ｃが設けられている。トレイ３には、裏面から光ピックアップモジュール４が取り付けられ、開口３ｃから光ピックアップモジュール４が表面に表出している。また、トレイ３の両側部には移動自在にレール３ａが設けられ、このレール３ａはトレイ３に一体に設けられたレール保持部３ｂに保持されている。なお、図１では一方の側部しかレール３ａは設けられていなが、他方の側部に同様のレールなどが設けられている。
【００２７】
光ピックアップモジュール４には光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動する。
【００２８】
開口３ｃからは、スピンドルモータ５の少なくとも一部が突出しており、しかもキャリッジ７及びカバー６も表出している。
【００２９】
８はトレイ３の前端面に設けられたベゼルで、ベゼル８は筐体２の開口を塞ぐ程度の大きさで構成されている。
【００３０】
トレイ３のスピンドルモータ５の突出した側には、光ディスク装着領域部３ｄが設けられており、外周は光ディスクの形状に合わせて円形状となっている。光ディスク装着領域部３ｄの外側には、光ディスク装着領域外部３ｅが設けられており、この光ディスク装着領域外部３ｅは光ディスク装着領域部３ｄよりも１．５ｍｍから４ｍｍ程度（装着される光ディスクの厚みと同じかやや大きい程度）隆起した構成となっている。本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディスクの直径と同じか１ｍｍ〜７ｍｍほど大きくなっている。光ディスク装着領域外部３ｅは概略三角形状となっている。また、光ディスク装着領域部３ｄは光ディスクを装着した際には、光ディスクと対向する部分を含み外周部にわずかな隙間を有する領域を示しており、光ディスク装着領域外部３ｄは、光ディスクの主面とは全く対向しない領域である。
【００３１】
光ディスク装着領域部３ｄのほぼ中心にはスピンドルモータ５が設けられており、しかも光ディスク装着領域部３ｄはトレイ３の一部の表面とカバー６の表面で主に形成されている。
【００３２】
また、ベゼル８側の光ディスク装着領域外部３ｅには、開口３ｆが設けられており、この開口３ｆはトレイ３で構成される外壁３ｇによって構成されている。また、ベゼル８側の光ディスク装着領域外部３ｅは光ピックアップモジュール４の一部が対向しているので、カバー６の開口６ａの一部も同様に対向している。
【００３３】
開口３ｆはベゼル８側の光ディスク装着領域外部３ｅの内でも、開口６ａと少なくとも対向する様に設けられている。すなわち、従来の構成では、光ディスク装着領域外部においては、開口６ａは表出していないが、本実施の形態では、開口３ｆを設けることで、光
ディスク装着領域外部３ｅにおいても開口６ａを表出させた。
【００３４】
この様な構成によって、スピンドルモータ５によって回転駆動された光ディスクで発生した空気流は、光ディスクの外周部で比較的強い空気流となっており、しかもその空気流は、開口３ｆ，開口６ａを通して、トレイ３の光ディスク装着側と反対側の領域（トレイ３と筐体部２ｂで挟まれた空間）に効率的に流れ込む。すると、前記反対側の領域には、高出力の光源や光源の駆動ＩＣ等が搭載されたキャリッジ７が存在するので、上記空気流の流入により、空気が拡散されることで、効果的に光源などの冷却を行うことができる。
【００３５】
この開口３ｆを設けない従来の構成と本実施の形態では、このキャリッジに搭載された光源や各種光学部材を含む部分の温度は、４℃以上異なることが分かった。すなわち、従来の技術の様に、単に空気の流路を構成するのでは、本実施の形態の様に、筐体２の中央部分の厚みが１４ｍｍ以下或いは１０ｍｍ以下の光ディスク装置においては、効果的な冷却は困難であったが、光ピックアップモジュール４に設けられた開口６ａに少なくとも一部が対向するように光ディスク装着領域外部３ｅに開口３ｆを設けることで、非常に効果的に光ディスクで発生した空気流をキャリッジ７のほとんどが収納される筐体部２ｂとトレイ３との間の空間に導くことができるので、極めて高い冷却性能を得ることができる。
【００３６】
なお、上記構成では、光ディスクを装着して、筐体２にトレイ３を収納した場合、光ディスクの回転によって、筐体部２ａと光ディスクの間の比較的温度の低い部分の空気をも効果的に筐体部２ｂとトレイ３との間の空間に導くことができるので、冷却効率が高いと考えられる。
【００３７】
本実施の形態では、光ディスク装着領域部３ｄと連なるように光ディスク装着領域外部３ｅの光ディスク装着領域側に開口３ｆを設けること、すなわち、装着された光ディスクの外周部と開口３ｆが極めて近い位置になるように（１０ｍｍ以内となるように）構成することで、更に効果的に空気流を他の方へ導くことができる。
【００３８】
また、本実施の形態では、光ディスク装着領域部３ｄとトレイ３の前端面側すなわち、ベゼル８を設けた側の端部との間に開口３ｆを設けた。更に、開口６ａもスピンドルモータ５とトレイ３のベゼル８を設けた端部との間に渡って形成され、しかも開口６ａの長手方向はベゼルとは非垂直となるように傾斜して設けられている。この様に開口３ｆをトレイ３のベゼル８側に配置したことで、通常筐体２部分はパーソナルコンピュータなどの電子機器の中に収納され、ベゼル８側は電子機器の外部に配置される構成となるので、比較的冷却された空気などを流入させやすくなる。
【００３９】
又、図２に示すように、開口３ｆの形状として本実施の形態では、矢印Ａ方向に光ディスクが回転すると、Ｂ方向の空気流が生じることになる。この空気流Ｂは直接開口３ｆからトレイ３と筐体部２ｂの間に流れ込む部分と、外壁３ｇが設けられていることで空気流Ｂの流れを阻害され、効果的に開口３ｆに空気流Ｂが流入する。図２に示す本実施の形態では、トレイ３の筐体２に対して引き出される或いは収納される方向Ｃに対して、略平行に外壁３ｇ形成される。また、開口３ｆを構成する外壁には、空気流Ｂに沿った外壁３ｈも当然存在する。
【００４０】
図３に示すように光ディスク回転中心（スピンドルモータ５の回転中心）を通る直線に対して略平行に外壁３ｇを形成しても良いし、図４に示すように外壁３ｇを凹部状としても良いし、図５に示すように、外壁３ｇをトレイ３の側部に行くに従って光ディスク装着領域外部３ｅの幅が狭くなるように傾斜させても良い。
【００４１】
また、図６は空気流の流れを示す図であり、カバー６と筐体部２ａとの間の領域Ｌ１で
光ディスクが回転すると、効率よく空気流は開口３ｆと開口６ａを通過して、光源やその駆動ＩＣ等を搭載したキャリッジ７がほとんど存在するＬ２領域に流れ込み、空気流（図６の矢印）が効果的にしかも、Ｌ２領域の空気を十分に攪拌していることが分かる。図６に示すように、Ｌ２の領域では光ピックアップモジュール４の他の部材に衝突したりしてスピンドルモータ５に向かう空気流が発生してることが分かる。従って、キャリッジ７の移動方向に沿って空気流を発生させることができるので、常にキャリッジに空気流を当てることができ冷却効率を向上させることができる。
【００４２】
本実施の形態では、気体流として空気を用いたが、他の気体を用いても良い。
【産業上の利用可能性】
【００４３】
本発明の光ディスク装置は、効率よく空気流を循環させることができるので、特に薄型及び小型化された光ディスク装置の熱対策を行うことができ、熱による記録再生特性の劣化などの不具合を抑えることができる効果を有し、パーソナルコンピュータ，ノートブック型コンピュータなどの電子機器に適応できる。
【図面の簡単な説明】
【００４４】
【図１】本発明の一実施の形態における光ディスク装置を示す斜視図
【図２】本発明の一実施の形態における光ディスク装置を示す平面図
【図３】本発明の一実施の形態における光ディスク装置を示す平面図
【図４】本発明の一実施の形態における光ディスク装置を示す平面図
【図５】本発明の一実施の形態における光ディスク装置を示す平面図
【図６】本発明の一実施の形態における光ディスク装置を示す部分断面図
【図７】従来の光ディスク装置を示す斜視図
【符号の説明】
【００４５】
１    光ディスク装置
２    筐体
３    トレイ
３ｃ，３ｆ，６ａ    開口
３ｄ    光ディスク装着領域部
３ｅ    光ディスク装着領域外部
３ｇ    外壁
４    光ピックアップモジュール
５    スピンドルモータ
６    カバー
７    キャリッジ
【図１】
2005092919.tif 000003
【図２】
2005092919.tif 000004
【図３】
2005092919.tif 000005
【図４】
2005092919.tif 000006
【図５】
2005092919.tif 000007
【図６】
2005092919.tif 000008
【図７】
2005092919.tif 000009